(57)【要約】【課題】従来の音声処理装置は、ユーザの好みに応じたジャンル毎の音場出力を予め設定することはできなかった。【解決手段】この発明の音声処理装置は、出力される音声のジャンル毎の音場がユーザの好みに応じて設定される手段と、所定のコンテンツに係るデータを受信する手段と、前記所定のコンテンツに係るデータに割り当てられたジャンルデータが含まれるデータを受信する手段と、前記ジャンルデータ受信手段で受信されたジャンルデータが含まれるデータから所定のコンテンツに係るデータに割り当てられたジャンルデータを取得する手段と、前記取得された前記所定のコンテンツに係るデータに割り当てられたジャンルに応じ、設定されたユーザの好みに応じたジャンル毎の音場で出力されるように構成している。【選択図】  図１
2004286894.tif 000002
【特許請求の範囲】
【請求項１】
所定のコンテンツに係る音声をそのコンテンツに割り当てられたジャンルに応じた音場で出力するように処理する音声処理装置において、
出力される音声のジャンル毎の音場がユーザの好みに応じて設定される音場設定手段と、
所定のコンテンツに係るデータを受信するコンテンツデータ受信手段と、
前記所定のコンテンツに係るデータに割り当てられたジャンルデータが含まれるデータを受信するジャンルデータ受信手段と、
前記ジャンルデータ受信手段で受信されたジャンルデータが含まれるデータから所定のコンテンツに係るデータに割り当てられたジャンルデータを取得するジャンルデータ取得手段と、
前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われる音声処理手段とを備えることを特徴とする音声処理装置。
【請求項２】
前記ジャンルデータ受信手段に用いられる通信手段は前記コンテンツデータ受信手段に用いられる通信手段とはデータの送信経路が異なるように設けられることを特徴とする請求項１に記載の音声処理装置。
【請求項３】
前記音場設定手段は前記ユーザの好みに応じたジャンル毎の音場で出力されるように設定された情報が記憶されるメモリを備え、各ジャンルと設定が対応するように記憶されることを特徴とする請求項１に記載の音声処理装置。
【請求項４】
受信した放送のコンテンツに係る音声をそのコンテンツに割り当てられたジャンルに応じた音場で出力するように処理する放送受信装置において、
コンテンツに係るデータおよびこのコンテンツに割り当てられたジャンルデータが送信される放送を受信する放送受信手段と、
前記放送受信手段で受信された放送から前記コンテンツに係るデータを抽出するコンテンツデータ抽出手段と、
前記放送受信手段で受信された放送から前記コンテンツに割り当てられたジャンルに係るデータを抽出するジャンルデータ抽出手段と、
出力される音声のジャンル毎の音場がユーザの好みに応じて設定される音場設定手段と、
前記コンテンツデータ抽出手段で抽出されたコンテンツに係るデータを受信するコンテンツデータ受信手段と、
前記ジャンルデータ抽出手段で抽出されたコンテンツに係るデータに割り当てられたジャンルデータを受信するジャンルデータ受信手段と、
前記ジャンルデータ受信手段で受信されたジャンルデータを取得するジャンルデータ取得手段と、
前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われる音声処理手段とを備えることを特徴とする放送受信装置。
【請求項５】
前記ジャンルデータ抽出手段は前記放送受信手段で受信された放送に含まれるデータからジャンル解析を行ってジャンルデータを抽出することを特徴とする請求項４に記載の放送受信装置。
【請求項６】
記憶手段に記憶されたコンテンツに係る音声をそのコンテンツに割り当てられたジャンルに応じた音場で出力するように処理する再生装置において、
コンテンツに係るデータおよびこのコンテンツに割り当てられたジャンルデータが記憶される記憶手段と、
前記記憶手段に記憶されたデータから前記コンテンツに係るデータを抽出するコンテンツデータ抽出手段と、
前記記憶手段に記憶されたデータから前記コンテンツに割り当てられたジャンルに係るデータを抽出するジャンルデータ抽出手段と、
出力される音声のジャンル毎の音場がユーザの好みに応じて設定される音場設定手段と、
前記コンテンツデータ抽出手段で抽出されたコンテンツに係るデータを受信するコンテンツデータ受信手段と、
前記ジャンルデータ抽出手段で抽出されたコンテンツに係るデータに割り当てられたジャンルデータを受信するジャンルデータ受信手段と、
前記ジャンルデータ受信手段で受信されたジャンルデータを取得するジャンルデータ取得手段と、
前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われる音声処理手段とを備えることを特徴とする再生装置。
【請求項７】
前記記憶手段はデジタルデータが記憶されるメモリであることを特徴とする請求項６に記載の再生装置。
【請求項８】
所定のコンテンツに係る音声をそのコンテンツに割り当てられたジャンルに応じた音場で出力するように処理する音声処理システムにおいて、
コンテンツに係るデータおよびこのコンテンツに割り当てられたジャンルデータを受信するデータ受信手段と、
前記データ受信手段で受信されたデータから前記コンテンツに係るデータを抽出するコンテンツデータ抽出手段と、
前記データ受信手段で受信されたデータから前記コンテンツに割り当てられたジャンルに係るデータを抽出するジャンルデータ抽出手段と、
出力される音声のジャンル毎の音場がユーザの好みに応じて設定される音場設定手段と、
前記コンテンツデータ抽出手段で抽出されたコンテンツに係るデータを受信するコンテンツデータ受信手段と、
前記ジャンルデータ抽出手段で抽出されたコンテンツに係るデータに割り当てられたジャンルデータを受信するジャンルデータ受信手段と、
前記ジャンルデータ受信手段で受信されたジャンルデータを取得するジャンルデータ取得手段と、
前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われる音声処理手段とを備えることを特徴とする音声処理システム。
【請求項９】
所定のコンテンツに係る音声をそのコンテンツに割り当てられたジャンルに応じた音場で出力するように処理する音声処理方法において、
出力される音声のジャンル毎の音場がユーザの好みに応じて設定されるステップと、
所定のコンテンツに係るデータを受信するステップと、
前記所定のコンテンツに係るデータに割り当てられたジャンルデータが含まれるデータを受信するステップと、
前記ジャンルデータ受信手段で受信されたジャンルデータが含まれるデータから所定のコンテンツに係るデータに割り当てられたジャンルデータを取得するステップと、
前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われるステップとを備えることを特徴とする音声処理方法。
【請求項１０】
受信した放送のコンテンツに係る音声をそのコンテンツに割り当てられたジャンルに応じた音場で出力するように処理する放送受信方法において、
コンテンツに係るデータおよびこのコンテンツに割り当てられたジャンルデータが送信される放送を受信するステップと、
前記放送受信手段で受信された放送から前記コンテンツに係るデータを抽出するステップと、
前記放送受信手段で受信された放送から前記コンテンツに割り当てられたジャンルに係るデータを抽出するステップと、
出力される音声のジャンル毎の音場がユーザの好みに応じて設定されるステップと、
前記コンテンツデータ抽出手段で抽出されたコンテンツに係るデータを受信するステップと、
前記ジャンルデータ抽出手段で抽出されたコンテンツに係るデータに割り当てられたジャンルデータを受信するステップと、
前記ジャンルデータ受信手段で受信されたジャンルデータを取得するステップと、
前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われるステップとを備えることを特徴とする放送受信方法。
【請求項１１】
記憶手段に記憶されたコンテンツに係る音声をそのコンテンツに割り当てられたジャンルに応じた音場で出力するように処理する再生方法において、
コンテンツに係るデータおよびこのコンテンツに割り当てられたジャンルデータが記憶されるステップと、
前記記憶手段に記憶されたデータから前記コンテンツに係るデータを抽出するステップと、
前記記憶手段に記憶されたデータから前記コンテンツに割り当てられたジャンルに係るデータを抽出するステップと、
出力される音声のジャンル毎の音場がユーザの好みに応じて設定されるステップと、
前記コンテンツデータ抽出手段で抽出されたコンテンツに係るデータを受信するステップと、
前記ジャンルデータ抽出手段で抽出されたコンテンツに係るデータに割り当てられたジャンルデータを受信するステップと、
前記ジャンルデータ受信手段で受信されたジャンルデータを取得するステップと、
前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われるステップとを備えることを特徴とする再生方法。
【発明の詳細な説明】
【０００１】
【発明の属する技術分野】
この発明は音声処理装置に係り、特に所定のコンテンツに係る音声をそのコンテンツに割り当てられたジャンルに応じた音場で出力するように処理する音声処理装置に関する。
【０００２】
【従来の技術】
従来の所定のコンテンツに係る音声をそのコンテンツに割り当てられたジャンルに応じた音場で出力するように処理する音声処理装置は、ＥＰＧによって送信されたジャンルデータを用いてジャンルに応じた音場で音声を自動的に出力するようにしている。（例えば特許文献１）。
【０００３】
また、従来の所定のコンテンツに係る音声をそのコンテンツに割り当てられたジャンルに応じた音場で出力するように処理する音声処理装置は、ジャンルに応じた音場を出力するようにしている。（例えば特許文献２）。
【０００４】
また、従来の所定のコンテンツに係る音声をそのコンテンツに割り当てられたジャンルに応じた音場で出力するように処理する音声処理装置は、放送を受信中に音場の調整をするようにしている。（例えば特許文献３）。
【０００５】
【特許文献１】
特開２００２−１５９０９９号公報（第３−５頁、図１、図２）
【特許文献２】
特開２００２−３１４４４７号公報（第３−４頁、図１、図２）
【特許文献３】
特開２００１−２５７９６４号公報（第３−４頁、図１、図２）
【発明が解決しようとする課題】
上記特許文献１の技術はジャンルに応じた音場は音声出力装置に固定して設定されており、ユーザの好みによって異なる、ユーザの好みに応じたジャンル毎の音場を出力することはできなかった。
【０００６】
上記特許文献２および特許文献３の技術はユーザの好みに応じたジャンル毎の音場を予め設定することはできなかった。
【０００７】
【課題を解決するための手段】
この発明に係る音声処理装置は、出力される音声のジャンル毎の音場がユーザの好みに応じて設定される音場設定手段と、所定のコンテンツに係るデータを受信するコンテンツデータ受信手段と、前記所定のコンテンツに係るデータに割り当てられたジャンルデータが含まれるデータを受信するジャンルデータ受信手段と、前記ジャンルデータ受信手段で受信されたジャンルデータが含まれるデータから所定のコンテンツに係るデータに割り当てられたジャンルデータを取得するジャンルデータ取得手段と、前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われる音声処理手段とを備えるように構成している。
【０００８】
またこの発明に係る放送受信装置は、コンテンツに係るデータおよびこのコンテンツに割り当てられたジャンルデータが送信される放送を受信する放送受信手段と、前記放送受信手段で受信された放送から前記コンテンツに係るデータを抽出するコンテンツデータ抽出手段と、前記放送受信手段で受信された放送から前記コンテンツに割り当てられたジャンルに係るデータを抽出するジャンルデータ抽出手段と、出力される音声のジャンル毎の音場がユーザの好みに応じて設定される音場設定手段と、前記コンテンツデータ抽出手段で抽出されたコンテンツに係るデータを受信するコンテンツデータ受信手段と、前記ジャンルデータ抽出手段で抽出されたコンテンツに係るデータに割り当てられたジャンルデータを受信するジャンルデータ受信手段と、前記ジャンルデータ受信手段で受信されたジャンルデータを取得するジャンルデータ取得手段と、前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われる音声処理手段とを備えるように構成している。
【０００９】
またこの発明に係る再生装置は、コンテンツに係るデータおよびこのコンテンツに割り当てられたジャンルデータが記憶される記憶手段と、前記記憶手段に記憶されたデータから前記コンテンツに係るデータを抽出するコンテンツデータ抽出手段と、前記記憶手段に記憶されたデータから前記コンテンツに割り当てられたジャンルに係るデータを抽出するジャンルデータ抽出手段と、出力される音声のジャンル毎の音場がユーザの好みに応じて設定される音場設定手段と、前記コンテンツデータ抽出手段で抽出されたコンテンツに係るデータを受信するコンテンツデータ受信手段と、前記ジャンルデータ抽出手段で抽出されたコンテンツに係るデータに割り当てられたジャンルデータを受信するジャンルデータ受信手段と、前記ジャンルデータ受信手段で受信されたジャンルデータを取得するジャンルデータ取得手段と、前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われる音声処理手段とを備えるように構成している。
【００１０】
またこの発明に係る音声処理システムは、コンテンツに係るデータおよびこのコンテンツに割り当てられたジャンルデータを受信するデータ受信手段と、前記データ受信手段で受信されたデータから前記コンテンツに係るデータを抽出するコンテンツデータ抽出手段と、前記データ受信手段で受信されたデータから前記コンテンツに割り当てられたジャンルに係るデータを抽出するジャンルデータ抽出手段と、出力される音声のジャンル毎の音場がユーザの好みに応じて設定される音場設定手段と、前記コンテンツデータ抽出手段で抽出されたコンテンツに係るデータを受信するコンテンツデータ受信手段と、前記ジャンルデータ抽出手段で抽出されたコンテンツに係るデータに割り当てられたジャンルデータを受信するジャンルデータ受信手段と、前記ジャンルデータ受信手段で受信されたジャンルデータを取得するジャンルデータ取得手段と、前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われる音声処理手段とを備えるように構成している。
【００１１】
またこの発明に係る音声処理方法は、出力される音声のジャンル毎の音場がユーザの好みに応じて設定されるステップと、所定のコンテンツに係るデータを受信するステップと、前記所定のコンテンツに係るデータに割り当てられたジャンルデータが含まれるデータを受信するステップと、前記ジャンルデータ受信手段で受信されたジャンルデータが含まれるデータから所定のコンテンツに係るデータに割り当てられたジャンルデータを取得するステップと、前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われるステップとを備えるように構成している。
【００１２】
またこの発明に係る放送受信方法は、コンテンツに係るデータおよびこのコンテンツに割り当てられたジャンルデータが送信される放送を受信するステップと、
前記放送受信手段で受信された放送から前記コンテンツに係るデータを抽出するステップと、前記放送受信手段で受信された放送から前記コンテンツに割り当てられたジャンルに係るデータを抽出するステップと、出力される音声のジャンル毎の音場がユーザの好みに応じて設定されるステップと、前記コンテンツデータ抽出手段で抽出されたコンテンツに係るデータを受信するステップと、前記ジャンルデータ抽出手段で抽出されたコンテンツに係るデータに割り当てられたジャンルデータを受信するステップと、前記ジャンルデータ受信手段で受信されたジャンルデータを取得するステップと、前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われるステップとを備えるように構成している。
【００１３】
またこの発明に係る再生方法は、コンテンツに係るデータおよびこのコンテンツに割り当てられたジャンルデータが記憶されるステップと、前記記憶手段に記憶されたデータから前記コンテンツに係るデータを抽出するステップと、前記記憶手段に記憶されたデータから前記コンテンツに割り当てられたジャンルに係るデータを抽出するステップと、出力される音声のジャンル毎の音場がユーザの好みに応じて設定されるステップと、前記コンテンツデータ抽出手段で抽出されたコンテンツに係るデータを受信するステップと、前記ジャンルデータ抽出手段で抽出されたコンテンツに係るデータに割り当てられたジャンルデータを受信するステップと、前記ジャンルデータ受信手段で受信されたジャンルデータを取得するステップと、前記ジャンルデータ取得手段で取得された前記所定のコンテンツに係るデータに割り当てられたジャンルに応じ、前記音場設定手段で設定されたユーザの好みに応じたジャンル毎の音場で出力されるように音声処理が行われるステップとを備えるように構成している。
【００１４】
【発明の実施の形態】
以下、図面を参照してこの発明に係る実施の形態を説明する。
【００１５】
図１は、この発明に係るデジタル放送受信装置および音声処理装置を示す図である。
【００１６】
符号１はデジタル放送受信装置、符号２は音声処理装置（ＡＶアンプ装置）である。
【００１７】
まず、デジタル放送受信装置１について説明する。
【００１８】
符号３はデジタル放送用アンテナ、符号４はチューナ、符号５は受信信号処理部、符号６は映像信号処理部、符号７は映像信号表示部であるモニタ、符号８は音声処理部、符号９は音声出力部である音声出力端子、符号１０はジャンル解析処理部、符号１１はデジタル放送受信装置を制御する制御部であるメインＣＰＵ（ＣＰＵ）である。
【００１９】
符号１２はデジタル放送受信装置の制御を指示するプログラムが書き込まれたプログラム記憶部であるＲＯＭ、符号１３はデータを一次的に保持する一次的記憶部であるＲＡＭ、符号１４は外部のリモートコントローラ（リモコン）から送信された制御信号を受信するリモコン制御信号受信部であるリモコン受光部、符号１５はデジタル放送受信装置１本体に設けられた操作ボタン等の操作手段であるキーボードである。
【００２０】
符号１６はデジタル放送受信装置１の外部に設けられ、デジタル放送受信装置１へ制御信号を送信するリモコン、符号１７は通信のための処理を行う通信処理部、符号１８は通信が入出力される通信用端子である。
【００２１】
ＣＰＵ１１はチューナ４、受信信号処理部５、映像信号処理部６、音声処理部８、ジャンル解析処理部１０、  ＲＯＭ１２、ＲＡＭ１３、リモコン受光部１４、キーボード１５、通信処理部１７に接続され、これらを制御する。
【００２２】
デジタル放送用アンテナ３で受信されたデジタル放送信号はチューナ４へ送信される。
【００２３】
チューナ４はＣＰＵ１１に制御され、デジタル放送用アンテナ３から送信されたデジタル放送信号から所望の番組（サービス）を選局受信して信号の形態で出力する。
【００２４】
受信信号処理部５はチューナ４で選局され出力された番組（サービス）の信号を受信し、ＱＰＳＫ復調やエラー訂正等の処理を施して、ＭＰＥＧ２トランスポートパケット形式のデータの形態で出力される。このＭＰＥＧ２トランスポートパケット形式のデータには映像や音声、番組に係るジャンル等の情報がデータの形態で含まれている。
【００２５】
受信信号処理部５から出力されたＭＰＥＧ２トランスポートパケット形式のデータは映像信号処理部６へ入力され、映像信号処理が施されて映像信号が出力される。
【００２６】
映像信号処理部６から出力された映像信号はモニタ７へ入力され、モニタ７の図示しない表示部に映像が表示される。
【００２７】
また、受信信号処理部５から出力されたＭＰＥＧ２トランスポートパケット形式のデータは音声処理部８へ入力され、音声処理が施されて音声信号が出力される。
【００２８】
音声処理部８から出力された音声信号は音声出力端子９へ送信され、音声出力端子９を通して外部へ出力される。
【００２９】
また、受信信号処理部５から出力されたＭＰＥＧ２トランスポートパケット形式のデータはジャンル解析処理部１０へ入力され、所定のコンテンツや所定の番組のデータに割り当てられた（付された）ジャンル情報や放送局から送信されたＥＰＧデータ等、番組のデータに割り当てられた（付された）ジャンルが解析処理される。ここで解析処理されたジャンルはＣＰＵ１１の制御によって通信処理部１７へ送信される。
【００３０】
通信処理部１７はＣＰＵ１１の制御によってジャンル解析処理部１０から送信された所定のジャンルや所定の番組に係るジャンル情報を通信用端子１８へ送信する。通信用端子１８は通信処理部１７で処理されたジャンル情報を外部へ出力する。
【００３１】
ここで、ジャンル解析処理部１０でジャンル解析処理されたデータは後述するように、デジタル放送で伝送される番組（サービス）のジャンル情報が書き込まれたテーブル（図２）の形でＣＰＵ１１に制御され、ＲＡＭ１３に書き込まれる。
【００３２】
ＲＯＭ１２にはＣＰＵ１１が制御する処理に必要なプログラムやデータが記憶されている。リモコン受光部１４にはユーザによってリモコンキーが操作されたリモコン１６から送信されたＩＲ（赤外光）の、コード信号の形態の制御信号が受信される。リモコン受光部１４で受信された制御信号はＣＰＵ１１へ送信され、デジタル放送受信装置１の制御が行われる。
【００３３】
キーボード１５はデジタル放送受信装置１本体に設けられ、ユーザによって操作されたキーの制御情報がＣＰＵ１１へ送信され、デジタル放送受信装置１の制御が行われる。
【００３４】
次に音声処理装置（ＡＶアンプ装置）２について説明する。
【００３５】
符号１９は音声入力端子である。上記音声出力端子９から出力された音声信号が受信される。符号２０は音声処理部、符号２１は音声処理装置２から図示しないスピーカへ向けて音声が出力されるスピーカ用音声出力端子、符号２８は上記通信用端子１８と通信が接続する通信用端子、符号２９は通信用端子２８に接続され、接続された通信の処理を行う通信処理部、符号２２は音声処理装置２を制御するメインＣＰＵ（ＣＰＵ）、符号２３はＣＰＵ２２の動作を指示するプログラム等が書き込まれる記憶部であるＲＯＭ、符号２４は予めユーザーにより設定されるジャンル毎の音声設定情報が書き込まれる記憶部であるＲＡＭ、符号２５は外部のリモートコントローラ（リモコン２７）から送信された制御信号を受信するリモコン制御信号受信部であるリモコン受光部、符号２６は音声処理装置２本体に設けられた操作ボタン等の操作手段であるキーボードである。
【００３６】
ＣＰＵ２２は通信処理部２９、音声処理部２０、ＲＯＭ２３、ＲＡＭ２４、リモコン受光部２５、キーボード２６に接続され、これらを制御する。
【００３７】
音声入力端子１９は音声処理部２０と接続されており、音声入力端子１９で受信された音声信号は音声処理部２０へ送信される。音声処理部２０はこの音声信号を受信し、ＣＰＵ２２の制御によって音声信号を信号処理してスピーカー用音声出力端子２１へ向けて出力する。
【００３８】
通信用端子２８は通信処理部２９に接続されている。通信用端子１８から出力され、通信用端子２８で受信された上記ジャンル情報はＣＰＵ２２に制御される通信処理部２９で受信され、所定の通信処理が施されて出力される。
【００３９】
通信処理部２９から出力されたジャンル情報はＣＰＵ２２に制御され、ＲＡＭ２４へ記憶される。
【００４０】
また、この発明に係る実施の形態においては、後述するように、出力される音声のジャンル毎の音場が、ユーザの好みに応じて設定されるテーブル（図３）が設けられる。
【００４１】
すなわち、音声処理部２０で処理されるジャンル毎の音声設定情報については、上記ジャンル情報に加えて、予めユーザーにより設定されるジャンル毎の音声設定情報が書き込まれたテーブルがＲＡＭ２４に記憶される。
【００４２】
ＲＯＭ２３には、ＣＰＵ２２の処理に必要なプログラムやデータが記憶されている。ＣＰＵ２２はＲＯＭ２３に記憶されているプログラムやデータにしたがって動作する。
【００４３】
また、リモコン受光部２５はユーザ操作によってリモコン２７から送信されたリモコン信号を受信し、ＣＰＵ２２に指示を与える。
【００４４】
また、ユーザによってキーボード２６が操作され、ＣＰＵ２２に指示を与える。上記のように、指示を受けたＣＰＵ２２は音声処理装置２を制御する。
【００４５】
尚、上記のように通信処理部２９は通信用端子２８を介してデジタル放送受信装置１と通信を行うが、この発明の実施の形態においては、デジタル放送受信装置１の通信処理部１７と音声処理装置２の通信処理部２９で通信を行う構成になっており、適宜通信を行っている。このため、デジタル放送受信装置１から音声処理装置２に対してジャンル情報が、適切なタイミングで通知されるように構成している。
【００４６】
また、通信処理部１７と通信処理部２９間は通信用端子１８および通信用端子２８を介して通信を行っているが、その通信手段としては、例えば、無線ＬＡＮ（ローカル  エリア  ネットワーク）通信が用いられることも可能である。
【００４７】
次に、ジャンル解析処理部１０でサービス（チャンネル）情報がジャンル解析処理されたデータがＲＡＭ１３に書き込まれたテーブルについて説明する。
【００４８】
受信された放送データ乃至コンテンツ等からサービス（チャンネル）情報がジャンル解析処理部１０によって取得され、ＲＡＭ１３に記憶される。
【００４９】
図２はこの発明に係るデジタル放送受信装置において、取得されたコンテンツに係るジャンルデータがメモリに記憶される形態を示す図である。
【００５０】
このテーブルにおいて、サービス（チャンネル）情報とジャンル情報が対応するように構成されている。すなわち、番組タイトル「○  ○」はドラマ、番組タイトル「×  ×」はスポーツ、…等のように構成されている。
【００５１】
次に、この発明の実施の形態に係る、ユーザの好みに応じて設定される出力音声のジャンル毎の音場について説明する。
【００５２】
図３はこの発明に係る音声処理装置において、ユーザの好みに応じたジャンル毎の音場で出力されるように設定された情報がメモリに記憶される形態を示す図である。
【００５３】
ユーザによって音声処理装置２に指示を与えるリモコン２７やキーボード２６が操作され、音声処理装置２と接続された表示画面（図示せず）に選択画面が表示される。
【００５４】
ユーザはこの表示画面から、ユーザの好みに応じたジャンル毎の音場を選択し、この選択されたジャンル毎の音場（音声設定情報）がＲＡＭ２４に記憶され、ユーザの好みに応じたジャンル毎の音場として設定される（音場設定手段）。
【００５５】
図８はこの発明の音声処理装置に係る音場設定の一例を示すフローチャートである。
【００５６】
処理が開始すると符号Ｓ１０１を付したステップへ進む。
【００５７】
ステップＳ１０１において、音声処理装置（ＡＶアンプ装置）２の表示画面にユーザによって選択されるジャンルが表示される。ステップＳ１０１は表示画面に表示された選択肢からユーザによってジャンルが選択されるステップである。ここで表示されるジャンルは文字でもよい。また、音場を図形として表現するアイコンでもよい。また、文字とアイコンが併記される形態でもよい。続いて符号Ｓ１０２を付したステップへ進む。
【００５８】
ステップＳ１０２は表示画面に表示された選択肢からユーザによって音場が選択されるステップである。ここで表示される音場は上記と同様に文字でもよいし、アイコンでもよい。また、文字とアイコンが併記される形態でもよい。続いて符号Ｓ１０３を付したステップへ進む。
【００５９】
ステップＳ１０３はユーザに選択されたジャンルと音場の組合せを確認するステップである。このユーザに選択されたジャンルと音場の組合せはユーザに確認しやすいように、上記表示画面に表示される。続いて符号Ｓ１０４を付したステップへ進む。
【００６０】
ステップＳ１０４は上記表示画面に表示されユーザによって確認されたジャンルと音場の組合せが、ユーザの好みに応じたジャンル毎の音場として設定されるステップである。ユーザの好みに応じたジャンル毎の音場がそれぞれ設定されると、ここでの処理は終了する。
【００６１】
図９はこの発明の音声処理装置に係る音場設定の他の例を示すフローチャートである。
【００６２】
処理が開始すると符号Ｓ２０１を付したステップへ進む。
【００６３】
ステップＳ２０１において、音声処理装置（ＡＶアンプ装置）２の表示画面にユーザによって選択される音場が表示される。ステップＳ２０１は表示画面に表示された選択肢からユーザによって音場が選択されるステップである。ここで表示される音場は文字でもよい。また、ジャンルを図形として表現するアイコンでもよい。また、文字とアイコンが併記される形態でもよい。続いて符号Ｓ２０２を付したステップへ進む。
【００６４】
ステップＳ２０２は表示画面に表示された選択肢からユーザによってジャンルが選択されるステップである。ここで表示されるジャンルは上記と同様に文字でもよいし、アイコンでもよい。また、文字とアイコンが併記される形態でもよい。続いて符号Ｓ２０３を付したステップへ進む。
【００６５】
ステップＳ２０３はユーザに選択された音場とジャンルの組合せを確認するステップである。このユーザに選択された音場とジャンルの組合せはユーザに確認しやすいように、上記表示画面に表示される。続いて符号Ｓ２０４を付したステップへ進む。
【００６６】
ステップＳ２０４は上記表示画面に表示されユーザによって確認された音場とジャンルの組合せが、ユーザの好みに応じたジャンル毎の音場として設定されるステップである。ユーザの好みに応じたジャンル毎の音場がそれぞれ設定されると、ここでの処理は終了する。
【００６７】
ここでは一例として、ドラマに対するユーザの好みに応じたジャンル毎の音場として音声設定情報００１１Ａが設定される。また、スポーツに対するユーザの好みに応じたジャンル毎の音場として音声設定情報００２２Ｃ、…等が設定される。
【００６８】
ここで、ユーザによって設定される音声設定情報はユーザの好みがそれぞれ異なるものであるので、ジャンルによって一義的にまたは自動的に決定されるものではなく、この発明の実施の形態においてはユーザによって決定される。
【００６９】
すなわち、必ずしもドラマは００１１Ａ、スポーツは００２２Ｃである必要はなく、例えば、ドラマを００２２Ｃ、スポーツを００１１Ａと設定しても良い。
【００７０】
上記説明においては、予め設定されたユーザの好みに応じたジャンル毎の音場をＲＡＭ２４、すなわち揮発性のメモリに記憶したが、この発明の実施の形態においては、ＥＰＲＯＭ等の不揮発性メモリを用いることも可能である。このように構成すると、設定された情報を保持することができるのでさらに好適である。
【００７１】
次に、この発明の実施の形態に係るデジタル放送受信装置の動作を説明する。
【００７２】
図４は、この発明に係るデジタル放送受信装置の動作を説明するフローチャートである。
【００７３】
ここでの処理の開始の後に符号Ｓ１を付したステップへ進む（ステップＳ１）。
【００７４】
ステップＳ１は、デジタル放送受信装置１に電源が投入されたか否かを確認するステップである。デジタル放送受信装置１に電源が投入されたと確認されると符号Ｓ２を付したステップへ進む。
【００７５】
ステップＳ２は視聴番組（サービス）のジャンル情報を取得するステップである。ジャンル情報の取得については、チューナ４で選局された番組（サービス）に係るジャンル情報を、メインＣＰＵ１１がジャンル解析処理部１０の動作を実行させることによって取得する。または、ＲＡＭ１３に書き込まれているテーブル（図２）を参照して取得する。続いて符合Ｓ３を付したステップへ進む。
【００７６】
ステップＳ３は視聴番組（サービス）のジャンル情報を音声処理装置（ＡＶアンプ装置）２へ向けて通知するステップである。
【００７７】
視聴番組（サービス）のジャンル情報は通信処理部１７から通信用端子１８を介して音声処理装置（ＡＶアンプ装置）２へ向けて通知（送信）される。続いて符合Ｓ４を付したステップへ進む。
【００７８】
ステップＳ４は番組（サービス）選局時、または番組（サービス）切り換わり時、または所定の時間間隔で定期的に、視聴番組（サービス）のジャンル情報に変化があったか否かを確認するステップである。リモコン受光部１４や本体に設けられたキーボード１５から番組選局信号を受信した場合、または、番組（サービス）が切り換わった場合または定期的にジャンル情報が変化したかが確認される。視聴番組（サービス）のジャンル情報に変化があった場合は符号Ｓ５を付したステップへ進む。視聴番組（サービス）のジャンル情報に変化がない場合はステップＳ４の処理を繰り返す。
【００７９】
ステップＳ５は視聴番組（サービス）のジャンル情報を取得するステップである。メインＣＰＵ１１がジャンル解析処理部１０を実行し、視聴番組（サービス）のジャンル情報を取得する。またはＲＡＭ１３に記憶されているテーブル（図２）を参照してジャンル情報を取得する。続いて符合Ｓ６を付したステップへ進む。
【００８０】
ステップＳ６は視聴番組（サービス）のジャンル情報に変化があるか否かを判断するステップである。視聴番組（サービス）のジャンル情報に変化があると判断された場合は符号Ｓ７を付したステップへ進む（Ｙｅｓ）。視聴番組（サービス）のジャンル情報に変化があると判断されない場合はステップＳ４へ進む（Ｎｏ）。
【００８１】
ステップＳ７はジャンル情報に変化があった場合に、視聴番組（サービス）のジャンル情報を音声処理装置（ＡＶアンプ装置）２へ通知するステップである。続いてステップＳ４へ進みステップＳ４の処理が実行される。
【００８２】
続いて音声処理装置（ＡＶアンプ装置）２の動作を説明する。
【００８３】
図５は、この発明に係る音声処理装置２の動作を説明するフローチャートである。
【００８４】
ここでの処理の開始の後に符号Ｓ８を付したステップへ進む（ステップＳ８）。
【００８５】
ステップＳ８は、音声処理装置（ＡＶアンプ装置）２において、メインＣＰＵ２２によって制御される通信処理部２９によって、デジタル放送受信装置１から通知されるジャンル情報が取得されるステップである。続いて符合Ｓ９を付したステップへ進む。
【００８６】
ステップＳ９は、通知されたジャンル情報に基づくＲＡＭ２４に書き込まれているテーブル（図３）、すなわち、上記ユーザの好みに応じて設定されたジャンル毎の音場のテーブルに応じた音声設定情報を取得するステップである。続いて符合Ｓ１０を付したステップへ進む。
【００８７】
ステップＳ１０は、音声設定情報（ユーザの好みに応じて設定されたジャンル毎の音場が設定された情報）に従い、音声処理部２０にて音声処理が実行されるステップである。続いてステップＳ８へ進み上記処理が繰り返される。
【００８８】
上記説明したように、この発明の実施の形態によれば、予め設定されたユーザの好みによって異なるジャンル毎の音場を出力することが可能となる。
【００８９】
次にこの発明に係る、他の実施の形態を説明する。
【００９０】
図６はこの発明の、他の実施の形態に係るデジタル放送受信装置を示す図である。上記説明と同じ構成については同一の符号を付して説明を省略する。
【００９１】
ここでは、上記説明におけるデジタル放送受信装置１と音声処理装置（ＡＶアンプ装置）２を一体構成としたデジタル放送受信装置３０としてこの発明を構成している。
【００９２】
ここでも上記実施の形態と同様に、ユーザによって音声処理装置２に指示を与えるリモコン２７やキーボード２６が操作され、音声処理装置２と接続された表示画面（図示せず）に選択画面が表示される。
【００９３】
ユーザはこの表示画面から、ユーザの好みに応じたジャンル毎の音場を選択し、この選択されたジャンル毎の音場（音声設定情報）がＲＡＭ２４に記憶され、ユーザの好みに応じたジャンル毎の音場として設定される（音場設定手段）。
【００９４】
ここでは一例として、ドラマに対するユーザの好みに応じたジャンル毎の音場として音声設定情報００１１Ａが設定される。また、スポーツに対するユーザの好みに応じたジャンル毎の音場として音声設定情報００２２Ｃ、…等が設定される。
【００９５】
ユーザによって設定される音声設定情報はユーザの好みがそれぞれ異なるものであるので、ジャンルによって一義的にまたは自動的に決定されるものではなく、この発明の、他の実施の形態においてもユーザによって決定される。
【００９６】
この発明の、他の実施の形態によっても、予め設定されたユーザの好みによって異なるジャンル毎の音場を出力することが可能となる。
【００９７】
次にこの発明に係る、他の実施の形態を説明する。
【００９８】
図７は、この発明の、他の実施の形態に係る再生装置を示す図である。
【００９９】
上記説明と同じ構成については同一の符号を付して説明を省略する。
【０１００】
符号１００は番組（サービス）やコンテンツがデータとして記憶される記憶装置である。ここではＨＤＤ（ハードディスク）が使用される。符号１０５は記憶装置に記憶された番組（サービス）やコンテンツのデータを受信し、信号処理を行って出力する記憶信号処理部である。
【０１０１】
ここでも上記実施の形態と同様に、ユーザによって音声処理装置２に指示を与えるリモコン２７やキーボード２６が操作され、音声処理装置２と接続された表示画面（図示せず）に選択画面が表示される。
【０１０２】
ユーザはこの表示画面から、ユーザの好みに応じたジャンル毎の音場を選択し、この選択されたジャンル毎の音場（音声設定情報）がＲＡＭ２４に記憶され、ユーザの好みに応じたジャンル毎の音場として設定される（音場設定手段）。
【０１０３】
ここでは一例として、ドラマに対するユーザの好みに応じたジャンル毎の音場として音声設定情報００１１Ａが設定される。また、スポーツに対するユーザの好みに応じたジャンル毎の音場として音声設定情報００２２Ｃ、…等が設定される。
【０１０４】
ユーザによって設定される音声設定情報はユーザの好みがそれぞれ異なるものであるので、ジャンルによって一義的にまたは自動的に決定されるものではなく、この発明の、他の実施の形態においてもユーザによって決定される。
【０１０５】
この発明の、他の実施の形態によっても、予め設定されたユーザの好みによって異なるジャンル毎の音場を出力することが可能となる。
【０１０６】
上記説明したこの発明の実施の形態においては、主にデジタル放送を受信する受信装置及びスピーカーシステムを構成することが可能な音声処理装置（ＡＶアンプ装置）を例にとったが、この発明はこれに限定されるものではなく、種々変形が可能である。
【０１０７】
また、この発明の実施の形態の説明においては、デジタル放送受信装置１で視聴番組（サービス）のジャンルが切り換わる場合に、音声処理装置（ＡＶアンプ装置）２の音声設定は、ジャンルの切り換わりに合わせて切り換わる構成を説明したが、この音声設定の切り換えを実行するかどうかを制御することも可能である。
【０１０８】
この音声設定を制御する機能を、デジタル放送受信装置１側に備えてもよいし、音声処理装置（ＡＶアンプ装置）２側に備えてもよい。
【０１０９】
例えば、音声設定制御機能がデジタル放送受信装置１側に構成される場合は、リモコン受光部１４、あるいは本体に設けられたキーボード１５から音声設定ＯＦＦの信号を受信すると、音声処理装置（ＡＶアンプ装置）２にジャンル情報を通知しないように、メインＣＰＵ１１と通信処理部１７で制御するように構成する。
【０１１０】
また、音声設定制御機能が音声処理装置（ＡＶアンプ装置）２側に設けられる場合は、リモコン受光部２５、あるいは本体に設けられたキーボード２６から音声設定ＯＦＦの信号を受信すると、デジタル放送受信装置１から通知されるジャンル情報を拾わないように、メインＣＰＵ２２と通信処理部２９で制御するように構成する。
【０１１１】
また、デジタル放送受信装置１で音声設定ＯＦＦの信号を受信した場合には、音声設定ＯＦＦであることを両装置間の通信機能を利用してＡＶアンプ装置２に通知して、ＡＶアンプ装置２で音声設定が切り換わらないように制御するように構成することも可能である。
【０１１２】
上記のように構成することによって、音声処理装置から出力される音声の、ジャンル毎の音場をユーザの好みに応じて、予め設定することが可能となる。
【０１１３】
【発明の効果】
上記説明したように、この発明の実施の形態によれば、音声処理装置から出力される音声の、ジャンル毎の音場をユーザの好みに応じて、予め設定することが可能となる。
【図面の簡単な説明】
【図１】この発明に係るデジタル放送受信装置および音声処理装置を示す図。
【図２】この発明に係るデジタル放送受信装置において、取得されたコンテンツに係るジャンルデータがメモリに記憶される形態を示す図。
【図３】この発明に係る音声処理装置において、ユーザの好みに応じたジャンル毎の音場で出力されるように設定された情報がメモリに記憶される形態を示す図。
【図４】この発明に係るデジタル放送受信装置の動作を説明するフローチャート。
【図５】この発明に係る音声処理装置の動作を説明するフローチャート。
【図６】この発明の、他の実施の形態に係るデジタル放送受信装置を示す図。
【図７】この発明の、他の実施の形態に係る再生装置を示す図。
【図８】この発明の音声処理装置に係る音場設定の一例を示すフローチャート。
【図９】この発明の音声処理装置に係る音場設定の他の例を示すフローチャート。
【符号の説明】
１  …  デジタル放送受信装置
２  …  音声処理装置（ＡＶアンプ装置）
３  …  デジタル放送用アンテナ
４  …  チューナ
５  …  受信信号処理部
６  …  映像信号処理部
７  …  モニタ
８  …  音声処理部
９  …  音声出力端子
１０  …  ジャンル解析処理部
１１  …  メインＣＰＵ（ＣＰＵ）
１２  …  ＲＯＭ
１３  …  ＲＡＭ
１４  …  リモコン受光部
１５  …  キーボード
１６  …  リモコン
１７  …  通信処理部
１８  …  通信用端子
１９  …  音声入力端子
２０  …  音声処理部
２１  …  スピーカ用音声出力端子
２２  …  メインＣＰＵ（ＣＰＵ）
２３  …  ＲＯＭ
２４  …  ＲＡＭ
２５  …  リモコン受光部
２６  …  キーボード
２７  …  リモコン
２８  …  通信用端子
２９  …  通信処理部
【図１】
2004286894.tif 000003
【図２】
2004286894.tif 000004
【図３】
2004286894.tif 000005
【図４】
2004286894.tif 000006
【図５】
2004286894.tif 000007
【図６】
2004286894.tif 000008
【図７】
2004286894.tif 000009
【図８】
2004286894.tif 000010
【図９】
2004286894.tif 000011
【手続補正書】
【提出日】平成15年4月4日(2003.4.4)
【手続補正１】
【補正対象書類名】明細書
【補正対象項目名】００６３
【補正方法】変更
【補正の内容】
【００６３】
ステップＳ２０１において、音声処理装置（ＡＶアンプ装置）２の表示画面にユーザによって選択される音場が表示される。ステップＳ２０１は表示画面に表示された選択肢からユーザによって音場が選択されるステップである。ここで表示される音場は文字でもよい。また、音場を図形として表現するアイコンでもよい。また、文字とアイコンが併記される形態でもよい。続いて符号Ｓ２０２を付したステップへ進む。